【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
複数のサイトのそれぞれにアクセスするためのサイト指定情報、各サイトに含まれる複数のコンテンツのそれぞれにアクセスするためのコンテンツ指定情報、及び、前記複数のコンテンツのそれぞれに応じたポイントを記憶する記憶部を備えるサーバの制御方法であって、
前記複数のサイトの内の一つのサイトに含まれる複数のコンテンツの内の一つのコンテンツに対応する前記コンテンツの指定情報をユーザ端末に送信し、
前記コンテンツ指定情報に対応する前記コンテンツの記憶要求を前記ユーザ端末から受信した場合、前記コンテンツ指定情報に対応する前記コンテンツを含むサイトにアクセスするためのサイト指定情報を、前記コンテンツ指定情報に対応する前記コンテンツに応じたポイントに関連付けて前記記憶部に記憶し、
前記コンテンツ指定情報に対応する前記コンテンツを含むサイトのリストの送信要求を前記ユーザ端末から受信した場合、前記ポイントに関連付けられて前記記憶部に記憶された前記サイト指定情報を抽出し、抽出された前記サイト指定情報に関連付けられた前記ポイントに応じて抽出された前記サイト指定情報のリストを作成し、作成された前記リストを前記ユーザ端末に送信する、
ことを含む制御方法。
【請求項２】
前記リストの作成において、抽出された前記サイト指定情報に関連付けられた前記ポイントに応じて、抽出された前記サイト指定情報を強調表示させたリストを作成する、請求項１に記載の制御方法。
【請求項３】
前記リストの作成において、抽出された前記サイト指定情報に関連付けられた前記ポイントに応じて、抽出された前記サイト指定情報を並べたリストを作成する、請求項１又は２に記載の制御方法。
【請求項４】
前記リストに含まれる前記サイト指定情報のグループ化要求を前記ユーザ端末から受信した場合、前記リストに含まれる前記サイト指定情報を所定のグループに分類し、
分類された前記グループ毎に、グループに含まれる前記サイト指定情報の数に従って、グループに含まれるサイト指定情報に関連付けられた前記ポイントを変更する、ことを更に含む、請求項１〜３のいずれか一項に記載の制御方法。
【請求項５】
前記ポイントに関連付けられて前記記憶部に記憶された前記サイト指定情報を抽出し、抽出された前記サイト指定情報に関連付けられた広告情報を、抽出された前記サイト指定情報に関連付けられた前記ポイントに応じた送信頻度に従って前記ユーザ端末に送信する、ことを更に含む、請求項１〜４のいずれか一項に記載の制御方法。
【請求項６】
前記複数のコンテンツは階層構造化されており、
前記ポイントは前記複数のコンテンツのそれぞれの階層の深さに応じている、請求項１〜５のいずれか一項に記載の制御方法。
【請求項７】
前記各サイトに含まれる階層構造化された前記複数のコンテンツは、最上位の階層のコンテンツ、及び、前記サイトによって紹介される内容の詳細情報を表示するコンテンツを含み、
前記記憶部は、前記複数のサイトのそれぞれのサイトに含まれる複数のコンテンツの内の一部又は全てのコンテンツの一覧を表示する一覧コンテンツを更に記憶する、請求項６に記載の制御方法。
【請求項８】
前記複数のサイトのそれぞれは、各サイトに対応する飲食店を紹介するための複数のコンテンツを含み、
前記詳細情報は、前記サイトに対応する飲食店の地図情報、前記サイトに対応する飲食店で提供されるサービスを与えるためのクーポンの情報、前記サイトに対応する飲食店で提供される料理のメニューの情報、及び／又は前記サイトに対応する飲食店を予約するための情報を含む、請求項７に記載の制御方法。
【請求項９】
複数のサイトのそれぞれにアクセスするためのサイト指定情報、各サイトに含まれる複数のコンテンツのそれぞれにアクセスするためのコンテンツ指定情報、及び、前記複数のコンテンツのそれぞれに応じたポイントを記憶する記憶部を備えるサーバによる嗜好判定方法であって、
前記複数のサイトの内の一つのサイトに含まれる複数のコンテンツの内の一つのコンテンツに対応する前記コンテンツ指定情報をユーザ端末に送信し、
前記コンテンツ指定情報に対応する前記コンテンツの記憶要求を前記ユーザ端末から受信した場合、前記コンテンツ指定情報に対応する前記コンテンツを含むサイトにアクセスするためのサイト指定情報を前記記憶部から取得し、
前記記憶要求された前記コンテンツに応じたポイントに基づいて、前記記憶要求された前記コンテンツに対応する嗜好情報を判定し、
前記取得されたサイト指定情報を、前記判定された前記嗜好情報に関連付けて前記記憶部に記憶する、
ことを含む嗜好判定方法。
【請求項１０】
前記複数のコンテンツは階層構造化されており、
前記ポイントは前記複数のコンテンツのそれぞれの階層の深さに応じている、請求項９に記載の嗜好判定方法。
【請求項１１】
前記記憶部は、前記階層構造化された複数のコンテンツのそれぞれに応じた嗜好情報を更に記憶し、
前記嗜好情報の判定において、前記記憶部に記憶された前記嗜好情報を参照して、前記記憶要求された前記コンテンツに対応する嗜好情報を判定する、請求項１０に記載の嗜好判定方法。
【請求項１２】
前記記憶部は、前記複数のコンテンツのそれぞれの階層の深さに応じた嗜好情報を更に記憶し、
前記嗜好情報の判定において、前記記憶部に記憶された、前記サイトに含まれる複数のコンテンツのそれぞれの階層の深さに応じた嗜好情報を参照して、前記記憶要求された前記コンテンツに対応する嗜好情報を判定する、請求項１０に記載の嗜好判定方法。
【請求項１３】
複数のサイトのそれぞれにアクセスするためのサイト指定情報、各サイトに含まれる複数のコンテンツのそれぞれにアクセスするためのコンテンツ指定情報、及び、前記複数のコンテンツのそれぞれに応じたポイントを記憶する記憶部と、
前記複数のサイトの内の一つのサイトに含まれる複数のコンテンツの内の一つのコンテンツに対応する前記コンテンツ指定情報をユーザ端末に送信するコンテンツ送信部と、
前記コンテンツ指定情報に対応する前記コンテンツの記憶要求を前記ユーザ端末から受信した場合、前記コンテンツ指定情報に対応する前記コンテンツを含むサイトにアクセスするためのサイト指定情報を、前記コンテンツ指定情報に対応する前記コンテンツに応じたポイントに関連付けて前記記憶部に記憶する付与部と、
前記コンテンツ指定情報に対応する前記コンテンツを含むサイトのリストの送信要求を前記ユーザ端末から受信した場合、前記ポイントに関連付けられて前記記憶部に記憶された前記サイト指定情報を抽出し、抽出された前記サイト指定情報に関連付けられた前記ポイントに応じて抽出された前記サイト指定情報のリストを作成するリスト作成部と、
作成された前記リストを前記ユーザ端末に送信するリスト送信部と、
を含むことを特徴とするコンピュータ。
【請求項１４】
複数のサイトのそれぞれにアクセスするためのサイト指定情報、各サイトに含まれる複数のコンテンツのそれぞれにアクセスするためのコンテンツ指定情報、及び、前記複数のコンテンツのそれぞれに応じたポイントを記憶する記憶部と、
前記複数のサイトの内の一つのサイトに含まれる複数のコンテンツの内の一つのコンテンツに対応する前記コンテンツ指定情報をユーザ端末に送信するコンテンツ送信部と、
前記コンテンツ指定情報に対応する前記コンテンツの記憶要求を前記ユーザ端末から受信した場合、前記コンテンツ指定情報に対応する前記コンテンツを含むサイトにアクセスするためのサイト指定情報を前記記憶部から取得するアドレス取得部と、
前記記憶要求された前記コンテンツに応じたポイントに基づいて、前記記憶要求された前記コンテンツに対応する嗜好情報を判定する判定部と、
前記取得されたサイト指定情報を、前記判定された前記嗜好情報に関連付けて前記記憶部に記憶する付与部と、
を含むことを特徴とするコンピュータ。
【請求項１５】
複数のサイトのそれぞれにアクセスするためのサイト指定情報、各サイトに含まれる複数のコンテンツのそれぞれにアクセスするためのコンテンツ指定情報、及び、前記複数のコンテンツのそれぞれに応じたポイントを記憶する記憶部を備えるコンピュータに、
前記複数のサイトの内の一つのサイトに含まれる複数のコンテンツの内の一つのコンテンツに対応する前記コンテンツ指定情報をユーザ端末に送信し、
前記コンテンツ指定情報に対応する前記コンテンツの記憶要求を前記ユーザ端末から受信した場合、前記コンテンツ指定情報に対応する前記コンテンツを含むサイトにアクセスするためのサイト指定情報を、前記コンテンツ指定情報に対応する前記コンテンツに応じたポイントに関連付けて前記記憶部に記憶し、
前記コンテンツ指定情報に対応する前記コンテンツを含むサイトのリストの送信要求を前記ユーザ端末から受信した場合、前記ポイントに関連付けられて前記記憶部に記憶された前記サイト指定情報を抽出し、抽出された前記サイト指定情報に関連付けられた前記ポイントに応じて抽出された前記サイト指定情報のリストを作成し、作成された前記リストを前記ユーザ端末に送信する、
ことを実行させることを特徴とする制御プログラム。
【請求項１６】
複数のサイトのそれぞれにアクセスするためのサイト指定情報、各サイトに含まれる複数のコンテンツのそれぞれにアクセスするためのコンテンツ指定情報、及び、前記複数のコンテンツのそれぞれに応じたポイントを記憶する記憶部を備えるコンピュータに、
前記複数のサイトの内の一つのサイトに含まれる複数のコンテンツの内の一つのコンテンツに対応する前記コンテンツ指定情報をユーザ端末に送信し、
前記コンテンツ指定情報に対応する前記コンテンツの記憶要求を前記ユーザ端末から受信した場合、前記コンテンツ指定情報に対応する前記コンテンツを含むサイトにアクセスするためのサイト指定情報を前記記憶部から取得し、
前記記憶要求された前記コンテンツに応じたポイントに基づいて、前記記憶要求された前記コンテンツに対応する嗜好情報を判定し、
前記取得されたサイト指定情報を、前記判定された前記嗜好情報に関連付けて前記記憶部に記憶する、
ことを実行させることを特徴とする制御プログラム。